(57)【要約】【課題】一方で画質低下を最小限に抑制されつつ短時間で画像形成ができ、他方で高解像度で画像を形成できる電子写真装置を得る。【解決手段】複数のトナー像形成手段が周囲にそれぞれ配置された感光体４７ａ，４７ｂと、感光体４７ａ，４７ｂの回転方向に対して順方向に周回走行し、各感光体４７ａ，４７ｂに形成されたトナー像が重畳転写される中間転写ベルト６７と、中間転写ベルト６７上に転写されたトナー像を記録紙４２上に転写する転写ローラ５５ａ，５５ｂと、感光体４７ａ，４７ｂが１周する間に複数色のトナー像を重畳して当該感光体４７ａ，４７ｂに形成してこれを中間転写ベルト６７に一括して転写する第１のモード、および感光体４７ａ，４７ｂが１周する間に単色のトナー像を感光体４７ａ，４７ｂに形成してこれを中間転写ベルト６７に転写する動作を複数回繰り返す第２のモードを有する。【選択図】  図１
2004326027.tif 000002
【特許請求の範囲】
【請求項１】
複数のトナー像形成手段が周囲にそれぞれ配置された複数の感光体と、
前記感光体の回転方向に対して順方向に周回走行し、それぞれの前記感光体に形成された前記トナー像が重畳転写される中間転写手段と、
前記中間転写手段上に転写されたトナー像を前記記録媒体上に転写する転写手段と、
前記感光体に複数色のトナー像を重畳形成してこれを前記中間転写手段に一括して転写する第１のモード、および前記感光体に単色のトナー像形成してこれを前記中間転写手段に転写する動作を複数回繰り返す第２のモードを有し、指定された何れかのモードで画像形成を行う制御手段とを備えたことを特徴とする電子写真装置。
【請求項２】
前記第１のモードでは、何れかの感光体でブラックのトナー像が、他の感光体で露光光線の補色のトナー像がそれぞれ最後に形成されることを特徴とする請求項１記載の電子写真装置。
【請求項３】
前記中間転写手段の走行方向に対して最上流側に位置する前記感光体でブラックのトナー像が、当該感光体よりも下流側に位置する前記感光体で露光光線の補色のトナー像がそれぞれ最後に形成されることを特徴とする請求項２記載の電子写真装置。
【請求項４】
前記第２のモードでは、前記中間転写手段の走行方向に対して最上流側に位置する前記感光体でブラックのトナー像が最初に形成されることを特徴とする請求項１〜３の何れか一項に記載の電子写真装置。
【請求項５】
前記制御手段は、前記第１のモードと前記第２のモードとで色処理パラメータを相違させて画像形成を実行させることを特徴とする請求項１〜４の何れか一項に記載の電子写真装置。
【請求項６】
前記露光光線は緑色であり、前記第１のモードではブラックのトナー像およびマゼンタのトナー像が最後に形成されることを特徴とする請求項１〜５の何れか一項に記載の電子写真装置。
【請求項７】
前記露光光線は赤色であり、前記第１のモードではブラックのトナー像およびシアンのトナー像が最後に形成されることを特徴とする請求項１〜５の何れか一項に記載の電子写真装置。
【請求項８】
前記露光光線は青色であり、前記第１のモードではブラックのトナー像およびイエローのトナー像が最後に形成されることを特徴とする請求項１〜５の何れか一項に記載の電子写真装置。
【発明の詳細な説明】
【０００１】
【発明の属する技術分野】
本発明は、電子写真装置に関し、特にカラートナー像を記録媒体上に形成する電子写真装置に関するものである。
【０００２】
【従来の技術】
従来から、帯電・露光・現像を数回繰り返して感光体上に色の異なる複数のトナー像を形成した後、トナー像を記録紙に一括転写してカラー画像を得る電子写真装置が種々提案されている。
【０００３】
ここで、従来の技術として、特開昭６０−９５４５６号公報に開示された電子写真装置を図１２に示す。図１２は従来の電子写真装置の構成を示す概略図である。
【０００４】
図１２において、電子写真装置には、矢印の方向に回転するセレンテルル（Ｓｅ−Ｔｅ）製の感光体２１が備えられており、感光体２１を一様に正帯電するコロナ帯電器２２、レーザビームスキャナ２３、イエロー（以下「Ｙ」という。）、マゼンタ（以下「Ｍ」という。）、シアン（以下「Ｃ」という。）、ブラック（以下「Ｂ」という。）の現像剤がそれぞれ収納された現像器２４〜２７、トナー像を記録紙２８に転写し易くするための除電ランプ２９、トナー転写後の感光体２１に残ったトナーを取り除くクリーニングブレード３２、感光体２１上の静電潜像を光で消去する除電ランプ３３が、この感光体２１の周囲にその回転方向に沿って配置されている。
【０００５】
また、感光体２１の対向位置にはトナー像を記録紙２８に転写するためのコロナ帯電器３０が設けられ、トナー像が転写された記録紙２８の走行経路上には、当該トナー像を記録紙２８に定着させる加熱定着器３１が配置されている。
【０００６】
次に、上述した電子写真装置を用いてカラー画像を形成するプロセスについて説明する。
【０００７】
まずコロナ帯電器２２で感光体２１を正帯電したあと、レーザビームスキャナ２３でＹの画像信号を露光し、ネガの静電潜像（画像部が露光されて感光体の表面電位が減衰している静電潜像）を形成する。そして静電潜像をＹトナーの入っている現像器２４でネガ・ポジ反転現像し、感光体２１上にＹのトナー像を形成する。このとき、Ｙトナーの入っている現像器２４だけが電源（図示せず）に接続されているが、その他の現像器２５〜２７はトナーが飛翔しない状態に調整されている。Ｙトナーで現像した後、感光体２１を除電ランプ３３で全面照射し、イエローの静電潜像を消去する。
【０００８】
次に、Ｙのトナー像の形成プロセスと同様にして、帯電・露光・現像・光除電の工程を繰り返し、感光体２１上にＭ，Ｃ，Ｂのトナー像をＹのトナー像の上に順次形成する。全てのトナー像の形成が終了した後、除電ランプ２９で静電潜像を消去し、コロナ帯電器３０でトナー像を記録紙２８に各色一括して静電転写する。一方、静電転写後、感光体２１に残留したトナーは、クリーニングブレード３２で除去されたカラー画像形成の１サイクルが完了する。
【０００９】
【特許文献１】
特開昭６０−９５４５６号公報
【００１０】
【発明が解決しようとする課題】
しかしながら、前述した従来の技術では、現像されたある色のトナー像の上に他色の画像データについて露光および現像を行ってトナー像を形成するようにしているので、既にトナー像の形成されている領域では露光光線が感光体表面まで届きにくくなったりスポット径が広がってしまい、トナー像の形成されていない領域と比較して静電潜像の解像度が低下してしまう。
【００１１】
特にブラックおよび露光光の色の補色関係にある色（たとえば露光光が赤色であればシアン、緑色であればマゼンタ、青色であればイエロー）は露光光線を吸収するために、これらの色のトナー像が形成されている領域に露光光線を照射しても静電潜像が十分に形成されない。トナーが吸収する波長と、露光光の波長は完全に合致していないため、全く潜像が形成されないわけではないが、トナー付着に十分な感光体上の電位を得られなくなる。
【００１２】
その一方で、従来の技術で説明した多重現像は画像が形成されるまでの時間が短いので、若干画質が低下しても短時間で画像形成できるモードが、画像形成時間が長くなっても高画質で画像形成できるモードと使い分けできれば望ましい。但し、前者のモードでも画質低下は最小限に抑えなければならない。
【００１３】
そこで、本発明は、一方で画質低下を最小限に抑制されつつ短時間で画像形成ができ、他方で高解像度で画像が形成できる電子写真装置を提供することを目的とする。
【００１４】
【課題を解決するための手段】
この課題を解決するために、本発明の電子写真装置は、複数のトナー像形成手段が周囲にそれぞれ配置された複数の感光体と、感光体の回転方向に対して順方向に周回走行し、それぞれの感光体に形成されたトナー像が重畳転写される中間転写手段と、中間転写手段上に転写されたトナー像を記録媒体上に転写する転写手段と、感光体に複数色のトナー像を重畳形成してこれを中間転写手段に一括して転写する第１のモード、および感光体に単色のトナー像形成してこれを中間転写手段に転写する動作を複数回繰り返す第２のモードを有し、指定された何れかのモードで画像形成を行う制御手段とを備えたとを備えたものである。
【００１５】
これにより、第１のモードでは画質低下が最小限に抑制されつつ短時間で画像形成ができ、また第２のモードでは高解像度で画像を形成することができる。
【００１６】
【発明の実施の形態】
本発明の請求項１に記載の発明は、複数のトナー像形成手段が周囲にそれぞれ配置された複数の感光体と、感光体の回転方向に対して順方向に周回走行し、それぞれの感光体に形成されたトナー像が重畳転写される中間転写手段と、中間転写手段上に転写されたトナー像を記録媒体上に転写する転写手段と、感光体に複数色のトナー像を重畳形成してこれを中間転写手段に一括して転写する第１のモード、および感光体に単色のトナー像形成してこれを中間転写手段に転写する動作を複数回繰り返す第２のモードを有し、指定された何れかのモードで画像形成を行う制御手段とを備えた電子写真装置であり、第１のモードでは画質低下が最小限に抑制されつつ短時間で画像形成ができ、また第２のモードでは高解像度で画像を形成することが可能になるという作用を有する。
【００１７】
本発明の請求項２に記載の発明は、請求項１記載の発明において、第１のモードでは、何れかの感光体でブラックのトナー像が、他の感光体で露光光線の補色のトナー像がそれぞれ最後に形成される電子写真装置であり、第１のモードでは画質低下が最小限に抑制されつつ短時間で画像形成ができ、また第２のモードでは高解像度で画像を形成することが可能になるという作用を有する。
【００１８】
本発明の請求項３に記載の発明は、請求項２記載の発明において、中間転写手段の走行方向に対して最上流側に位置する感光体でブラックのトナー像が、当該感光体よりも下流側に位置する感光体で露光光線の補色のトナー像がそれぞれ最後に形成される電子写真装置であり、第１のモードでは画質低下が最小限に抑制されつつ短時間で画像形成ができ、また第２のモードでは高解像度で画像を形成することが可能になるという作用を有する。
【００１９】
本発明の請求項４に記載の発明は、請求項１〜３の何れか一項に記載の発明において、第２のモードでは、中間転写手段の走行方向に対して最上流側に位置する感光体でブラックのトナー像が最初に形成される電子写真装置であり、第１のモードでは画質低下が最小限に抑制されつつ短時間で画像形成ができ、また第２のモードでは高解像度で画像を形成することが可能になるという作用を有する。
【００２０】
本発明の請求項５に記載の発明は、請求項１〜４の何れか一項に記載の発明において、制御手段は、第１のモードと第２のモードとで色処理パラメータを相違させて画像形成を実行させる電子写真装置であり、画像の重ね合わせ順序に応じた最適な色再現が可能になるという作用を有する。
【００２１】
本発明の請求項６に記載の発明は、請求項１〜５の何れか一項に記載の発明において、露光光線は緑色であり、第１のモードではブラックのトナー像およびマゼンタのトナー像が最後に形成される電子写真装置であり、第１のモードにおいて、トナー像の形成された感光体上に露光光線で露光しても当該露光光線が既に形成されたトナー像には吸収されないので、良好な解像度の画像を形成することが可能になるという作用を有する。
【００２２】
本発明の請求項７に記載の発明は、請求項１〜５の何れか一項に記載の発明において、露光光線は赤色であり、第１のモードではブラックのトナー像およびシアンのトナー像が最後に形成される電子写真装置であり、第１のモードにおいて、トナー像の形成された感光体上に露光光線で露光しても当該露光光線が既に形成されたトナー像には吸収されないので、良好な解像度の画像を形成することが可能になるという作用を有する。
【００２３】
本発明の請求項８に記載の発明は、請求項１〜５の何れか一項に記載の発明において、露光光線は青色であり、第１のモードではブラックのトナー像およびイエローのトナー像が最後に形成される電子写真装置であり、第１のモードにおいて、トナー像の形成された感光体上に露光光線で露光しても当該露光光線が既に形成されたトナー像には吸収されないので、良好な解像度の画像を形成することが可能になるという作用を有する。
【００２４】
以下、本発明の実施の形態について、図１から図１１を用いて説明する。なお、これらの図面において同一の部材には同一の符号を付しており、また、重複した説明は省略されている。
【００２５】
（実施の形態１）
図１は本発明の実施の形態１である電子写真装置の全体構成を示す概略図、図２は図１の電子写真装置に設けられた作像ステーションの構成を示す概略図、図３は図２の作像ステーションに設けられた露光ヘッドの構成を示す概略図、図４は図２の作像ステーションにおける多重現像の工程を示す説明図、図５は図１の電子写真装置における高速モードでのトナーの重畳状態を示す模式図、図６は図１の電子写真装置における高画質モードでのトナーの重畳状態を示す模式図、図７は図１の電子写真装置におけるコントローラの構成を示すブロック図、図８は図１の電子写真装置におけるエンジン制御部の構成を示すブロック図、図９は制御手段による画像処理シーケンスを示すフローチャート、図１０は図８のヘッド制御部の構成を示すブロック図、図１１は露光ヘッドおよびヘッド制御部の詳細な構成を示す回路図である。
【００２６】
図１に示すように、本実施の形態の電子写真装置４０は、イエロー（Ｙ）と無彩色成分であるブラック（Ｋ）のトナー像が形成される第１の作像ステーション４１ａ、およびシアン（Ｃ）とマゼンタ（Ｍ）のトナー像が形成される第２の作像ステーション４１ｂが装置内に縦方向に配列されており、その下方には記録紙（記録媒体）４２が収容される給紙トレイ４３が配設されている。
【００２７】
また、各作像ステーション４１ａ，４１ｂに対応した箇所には、感光体４７ａ，４７ｂの回転方向に対して順方向に周回走行する無端状の中間転写ベルト（中間転写手段）６７が設けられている。中間転写ベルト６７は、ＰＥＴなどの基材中にカーボン等を分散して所定の誘電率を有するように形成されたベルトである。第１の作像ステーション４１ａおよび第２の作像ステーション４１ｂで形成されたトナー像はこの中間転写ベルト６７に一旦重畳転写された後、一括して記録紙４２に転写される。
【００２８】
なお、本実施の形態では中間転写手段として無端ベルトである中間転写ベルト６７が用いられているが、たとえばドラム式のものであってもよい。
【００２９】
前述した第１の作像ステーション４１ａおよび第２の作像ステーション４１ｂは中間転写ベルトの回転方向に沿って上流側から順にそれぞれ配置されており、感光体（第１の感光体）４７ａおよび感光体（第２の感光体）４７ｂ、現像スリーブ（図示せず）、帯電器（図示せず）等、一連の電子写真方式における現像プロセスを実現する部材の集合体である。なお、中間転写ベルト６７は感光体４７ａ，４７ｂの回転方向に対して順方向に走行する。
【００３０】
ここで作像ステーション４１ａ，４１ｂについて図２および図４を用いて詳細に説明する。作像ステーション４１ａ，４１ｂは充填された現像剤の色が異なっているが、構成は相互に同一であるので、主として第１の作像ステーション４１ａについて説明し、第２の作像ステーション４１ｂについては第１の作像ステーション４１ａとの相違部分について説明する。
【００３１】
図２において、第１の作像ステーション４１ａは、感光体４７ａと、この感光体４７ａに付着した像転写後の残留トナーを除去する感光体クリーナ１０を備えている。また、感光体４７ａの周囲にはトナー像形成手段である第１の除電器１１、第１の帯電器１２、第１の露光ヘッド１３、第１の現像器１４、第２の除電器１５、第２の帯電器１６、第２の露光ヘッド１７および第２の現像器１８が、感光体４７ａの回転方向に沿って配置されている。
【００３２】
ここで、第１の除電器１１は感光体４７ａの残留電荷を除去し、第１の帯電器１２は感光体４７ａの外周面を一様に所定の電荷に帯電し、第１の露光ヘッド１３は帯電した感光体４７ａの外周面に第１の色（ここではイエロー）に対応した静電潜像を露光光線（ここでは、有機ＥＬ素子を光源とした緑色の露光光線）により形成し、第１の現像器１４は形成された静電潜像にトナー（ここではイエローのトナー）を供給してトナー像を形成する。また、第２の除電器１５はイエローのトナー像形成後に感光体４７ａに残留している電荷を除去し、第２の帯電器１６は感光体４７ａの外周面を一様に所定の電荷に帯電し、第２の露光ヘッド１７は帯電した感光体４７ａの外周面に第２の色（ここではブラック）に対応した静電潜像を露光光線により形成し、第２の現像器１８は形成された静電潜像にトナー（ここではブラックのトナー）を供給して第１の現像器１４で形成されたトナー像の上にトナー像を形成する。
【００３３】
ここで、本実施の形態の電子写真装置では、画像の解像度よりも画像の形成時間を優先した高速モード（第１のモード）と、逆に画像の形成時間よりも画像の解像度を優先した高画質モード（第２のモード）の２つのモードを有している。
【００３４】
高速モードでは、第１の色（イエロー）を第１色目、第２の色（ブラック）を第２色目とし、第１色目のトナー像（ここではイエローのトナー像）が形成されたならば、このトナー像を他の像担持体に転写することなく、当該トナー像の上から直ちに第２色目のトナー像（ここではブラックのトナー像）を形成する。このモードではイエローおよびブラックのトナー像が重畳して感光体４７ａ外周面に形成され、この重ね合わせの２色のトナー像が一括して中間転写ベルト６７に転写される。
【００３５】
また、高画質モードでは、逆に第２の色（ブラック）を第１色目、第１の色（イエロー）を第２色目とし、第１色目のトナー像（ここではブラックのトナー像）が形成されたならば、このトナー像を一旦中間転写ベルト６７に転写した後、中間転写ベルト６７の次のサイクルにおいて、第２色目のトナー像（ここではイエローのトナー像）を形成する。このモードではブラックのトナー像とイエローのトナー像とは別々に感光体４７ａの外周面に形成され、中間転写ベルト６７に相互に重畳転写される。
【００３６】
なお、中間転写ベルト６７への転写時には、転写ローラ６８ａ，６８ｂには所定の転写バイアスが印加されている。また、中間転写ベルト６７に転写されなかった残トナーは感光体クリーナ１０でクリーニングされる。
【００３７】
また、高画質モードでは、中間転写ベルト６７を２周させて４色のトナー像を重畳するため、記録する画像サイズ以上の長さが必要となる。したがって、本実施の形態の中間転写ベルト６７は、本電子写真装置が形成できる最大用紙サイズ以上の長さを有している。
【００３８】
このように、高速モードでは、最初にイエローのトナー像を形成した後にブラックのトナー像を形成するが、高画質モードでは、ブラックのトナー像を最初に形成する。そして、ブラックのトナー像の形成順序を前述のように制御することで、高速モードおよび高画質モードの何れのモードにおいても中間転写ベルト６７の最下層（つまり、中間転写ベルト６７の表面に最も近い側）にはブラックのトナー像が位置することになり、これを記録紙４２に一括転写すると、記録紙４２の最上層（つまり、記録紙４２の表面から最も遠い側）ブラックのトナー像を配置することができる。このようにブラックのトナー像を記録紙４２の最上層に配置することで、コントラストが大きくメリハリのあるカラー画像を得ることができる。
【００３９】
なお、高速モードは感光体４７ａが１周する間に２色のトナー像が形成されることから画像の形成時間は比較的短くなるが、第１色目のトナー像の上から露光して第２色目のトナー像を形成するために、第２色目の露光光線が僅かに広がり、潜像忠実性が悪化する。これに対し、高画質モードでは感光体４７ａが２周して２色のトナー像が形成されることから画像の形成時間は高速モードよりは長くなるが、第１色目のトナー像が存在しない感光体４７ａ上に第２色目のトナー像を形成するために、第２色目の露光光線が広がることもなく、潜像忠実性は良好になる。
【００４０】
このように各モードはトレードオフの関係にあるために、画像の解像度よりも画像の形成時間を優先したい場合には高速モードで、逆に画像の形成時間よりも画像の解像度を優先したい場合には高画質モードで画像形成を行えばよい。
【００４１】
露光ヘッド１３，１７は、図３に示すように、露光ヘッドを支持するヘッド支持部材５３を有している。そして、露光ヘッド１３，１７は、基材８４に実装されてヘッド支持部材５３上に設けられた封止材８５で気密封止された光源としての有機エレクトロルミネッセンス素子（有機ＥＬ素子）８６と、基材８４上に設けられて画像データに対応した電圧を有機ＥＬ素子８６に給電してこれを発光させるドライバ８７とからなる。さらに、基材８４上には、有機ＥＬ素子８からの照射光を反射して光路を９０°変換するプリズム８８、プリズム８８からの光を伝送かつ集光するファイバアレイ８９、ファイバアレイ８９からの光を副走査方向に絞り込むシリンドリカルレンズ９０が搭載されている。
【００４２】
なお、有機ＥＬ素子は、現状では緑色が最も光量が大きい。したがって、前述のように緑色の露光光線が用いられ、また感光体４７ａ，４７ｂとしては、緑色の露光光線に対する感度が高い感光体（例えばアナログ複写機用の感光体）が用いられている。但し、緑色以外の露光光線を用いてもよく、光源としてはレーザなど他のものを用いることもできる。
【００４３】
図１および図２において、中間転写ベルト６７のループの内部空間には、中間転写ベルト６７を挟んで感光体４７ａと対向する位置に転写ローラ（転写手段）６８ａが、また感光体４７ｂと対向する位置に転写ローラ（転写手段）６８ｂがそれぞれ設けられており、駆動源１９により中間転写ベルト６７の走行方向と順方向に回転する。転写ローラ６８ａおよび転写ローラ６８ｂには所定の転写バイアスが印加されている。
【００４４】
第２の作像ステーション４１ｂでは、第１の作像ステーション４１ａでの画像形成プロセスと同様のプロセスにより、高速モードでは、最初にシアンのトナー像が、続いてシアンのトナー像の上にマゼンタのトナー像が連続的に多重現像され、これが一括して中間転写ベルト６７に転写される。
【００４５】
また、高画質モードでは、感光体４７ｂの１周目にはシアンのトナー像が形成されて中間転写ベルト６７に重畳転写され、２周目にはマゼンタのトナー像が形成されて中間転写ベルト６７に重畳転写される。あるいは、感光体４７ｂの１周目にはマゼンタのトナー像が形成されて中間転写ベルト６７に重畳転写され、２周目にはシアンのトナー像が形成されて中間転写ベルト６７に重畳転写される。
【００４６】
このように、高速モードでは、それぞれの感光体４７ａ，４７ｂ上に重畳して形成された２色のトナー像が中間転写ベルト６７に重畳転写されて当該中間転写ベルト６７上にカラートナー像が形成され、高画質モードではそれぞれの感光体４７ａ，４７ｂ上に形成された単色のトナー像が中間転写ベルト６７に順次転写されてる動作が各２回繰り返されて当該中間転写ベルト６７上にカラートナー像が形成される。そして、このようにして中間転写ベルト６７上に形成されたカラートナー像が一括して記録紙４２に転写される。
【００４７】
中間転写ベルト６７の周囲には更に廃トナーボックス２０が配設されている。中間転写ベルト６７に何らかの原因（たとえば記録紙の搬送不良（ＪＡＭ：ジャミング）などによって、中間転写ベルト６７にトナー像が付着するようなケース）でトナーが付着した場合、このトナーは用紙搬送ベルトクリーナ２０ａによって除去され、廃トナーボックス２０に収納される。
【００４８】
図４に示すように、第１の現像器１４および第２の現像器１８には、キャリアとトナーの混合物である現像剤４５が充填されている。４６ａ、４６ｂは現像剤４５を攪拌する攪拌パドルであり、攪拌パドル４６ａ，４６ｂの回転によって現像剤４５中のトナーは摩擦によって所定の電位に帯電されると共に、現像器１４内部を巡回することでトナーとキャリアが十分に攪拌混合される。４９は現像スリーブ（現像手段）、５０は薄層化ブレードである。現像スリーブ４９は内部に複数の磁極が形成されたマグロール５１を有している。薄層化ブレード５０によって、現像スリーブ４９の表面に供給される現像剤４５の層厚が規制されると共に、現像スリーブ４９は矢印で示す方向Ｄ４に回転し、この回転およびマグロール５１の磁極の作用によって現像剤４５は現像スリーブ４９の表面に供給され、感光体４７ａに転写されなかった現像剤は第１の作像ステーション４１ａの内部に回収される。
【００４９】
本実施の形態では、全ての現像器１４，１８に２成分現像が採用され、かつ感光体４７ａ，４７ｂと現像スリーブ４９のトナー面との間に図示しないギャップリング等のギャップ形成部材によって所定のギャップを設け、更に現像スリーブ４９にＤＣ＋ＡＣ電位を印加することで、現像スリーブ４９上のトナーを感光体４７ａ，４７ｂに飛翔させる現像方式を採用している。同一の感光体４７ａ，４７ｂ上に複数色のトナー像を形成する多重現像方式においては、現像スリーブ４９上のトナー面を直接感光体４７ａ，４７ｂに接触させてしまうと、一旦感光体４７ａ，４７ｂ上に現像されたトナーが、たとえば現像器１４のトナーが現像器１８に入って混色することがあることから、これを防止するために感光体４７ａ，４７ｂと現像スリーブ４９（あるいはトナー面）とを非接触で現像する方式がとられている。
【００５０】
記録紙４２に転写されるトナーの重畳状態を、図５および図６を用いて説明する。
【００５１】
高速モードという多重現像による作像プロセスでは、第１色目のトナー（例えばイエロー、シアン）を現像した上から、第２色目（例えばブラック、マゼンタ）に対応した画像データに基づき露光ヘッド１７を駆動して感光体４７ａ，４７ｂを露光する。この際、露光ヘッド１７から照射された露光光線が、既に感光体４７ａ，４７ｂ上に形成されたトナーによって吸収（スペクトル的に吸収）されなければ、当該露光光線は第１色目のトナー層を通して感光体４７ａ，４７ｂに到達し、感光体４７ａ，４７ｂ上に潜像を形成することができる。
【００５２】
ここで、有機ＥＬ素子８６を光源とした露光ヘッド１３，１７では、現状においては緑色のＥＬ材料の光量が最も高い。すると、その補色にあたるマゼンタのトナーは緑色のスペクトル領域の光を吸収するので、感光体４７ａ，４７ｂ上にマゼンタのトナー像を形成してしまうと、緑色の露光光線はマゼンタのトナー層で吸収されて感光体４７ａ，４７ｂに到達しないため、その上から露光することができない。また、ブラックのトナーは一般にカーボンブラックを含有し、全ての可視光を吸収する。
【００５３】
したがって、高速モードにおいて、既にマゼンタのトナー像やブラックのトナー像が形成された感光体４７ａ，４７ｂの上から緑色の露光光線で露光しても、感光体４７ａ，４７ｂ上に潜像を形成することはできない。すなわち、第１および第２の作像ステーション４１ａ，４１ｂにおいて、ブラックのトナー像およびマゼンタのトナー像の形成された感光体４７ａ，４７ｂ上には、緑色の露光光線で露光を行っても感光体４７ａ，４７ｂ上に静電潜像を形成することはできない。
【００５４】
よって、各作像ステーション４１ａ，４１ｂにおいてはブラックではない色のトナー像および露光光線の補色でない色のトナー像を最初に形成し、露光光線の補色のトナー像およびブラックのトナー像を最後に形成する。
【００５５】
また、記録紙４２に画像が形成された状態においてブラックのトナー像の上面に彩色（イエロー、マゼンタ、シアン）のトナー像が重畳された場合、彩色トナー領域の内部でも光が反射するため、彩色トナーの色味が強く再現されてしまう。このため、一般に印刷の三原色（イエロー、マゼンタ、シアン）にブラックを加えた４色の色材で色再現を行う場合、自然な画像再現を行うには、ブラックは記録紙４２に転写されたカラートナー像の最上層に配置することが望ましい。
【００５６】
そこで、緑色の露光光線を用いた場合には、図５に示すように、第１の作像ステーション４１ａの感光体４７ａにおいては最初にイエローのトナー像を形成した後にブラックのトナー像を形成し、第２の作像ステーション４１ｂの感光体４７ｂにおいては最初にシアンのトナー像を形成した後にマゼンタのトナー像を形成する。あるいは、第１の作像ステーション４１ａの感光体４７ａにおいては最初にシアンのトナー像を形成した後にブラックのトナー像を形成し、第２の作像ステーション４１ｂの感光体４７ｂにおいては最初にイエローのトナー像を形成した後にマゼンタのトナー像を形成する。
【００５７】
これにより、中間転写ベルト６７には、第１の作像ステーション４１ａにおいてはブラックのトナー像が中間転写ベルト６７上に位置し、その上層にイエローのトナー像が位置してこれらが重畳したトナー像が転写される。続いて第２の作像ステーション４１ｂでの転写により、イエローのトナー像の上層にマゼンタのトナー像が、さらにその上層にシアンのトナー像が位置して４色が重なり合ったカラートナー像が形成される。
【００５８】
このように、高速モードにおいては、ブラックのトナー像および露光光線の補色のトナー像（この場合にはマゼンタ）を感光体４７ａ，４７ｂのそれぞれ最後に形成するようにしているので、複数色のトナー像が重畳して形成される感光体４７ａ，４７ｂにおいてトナー像の形成された上に露光光線で露光しても当該露光光線が既に形成されたトナー像には吸収されず、高解像度の画像を形成することが可能になる。
【００５９】
そして、この中間転写ベルト６７に形成されたカラートナー像を記録紙４２に一括転写すると、記録紙４２の最上層（すなわち、目に最も近い位置）にブラックのトナー像が配置される。これにより、コントラストの高い優れた画像を得ることができる。
【００６０】
なお、第１の作像ステーション４１ａで形成されるイエローと第２の作像ステーション４１ｂで形成されるシアンは逆であってもよい。
【００６１】
ここで、露光光線がレーザビームのような赤色であれば、赤色の補色であるシアンが赤色の露光光線を吸収するため、シアンの現像はブラックと同様に最後に行わねばならない。また、露光光線が青色であれば、青色の補色であるイエローが青色の露光光線を吸収するため、イエローの現像はブラックと同様に最後に行わねばならない。
【００６２】
次に、高画質モードによる作像プロセスでは、感光体４７ａ，４７ｂの１周目で第１色目のトナー（例えばブラック、シアン）を現像してこれを記録紙４２に転写した後に、２周目で第２色目のトナー（例えばイエロー、マゼンタ）を現像してこれを記録紙４２に転写する。
【００６３】
このモードでは、トナー像の上にさらに露光をしてトナー像を形成していないため、高速モードにおける露光光線の吸収の問題は発生しないので、露光光線の吸収を回避するための色形成の順序は問題にはならない。しかしながら、高画質モードにおいても記録紙４２に画像が形成された状態においてブラックのトナー像が最上層となるようにし、自然な画像再現を行う必要がある。
【００６４】
そこで、高画質モードでは、図６に示すように、また前述のように、感光体４７ａにおいては１周目でブラックのトナー像を形成し、２周目でイエローのトナー像を形成する。また、感光体４７ｂでは、１周目でシアンのトナー像を形成し、２周目でマゼンタのトナー像を形成する。これにより、感光体４７ａで最初に形成されたブラックのトナー像が中間転写ベルト６７上に位置し、その上層に感光体４７ｂで最初に形成されたシアンのトナー像が、さらにその上層に感光体４７ａで２周目に形成されたイエローのトナー像が、最上層には感光体４７ｂで２周目に形成されたマゼンタのトナー像が相互に重畳転写される。
【００６５】
そして、この中間転写ベルト６７に形成されたカラートナー像を記録紙４２に一括転写すると、高速モードの場合と同様に、記録紙４２の最上層（すなわち、目に最も近い位置）にブラックのトナー像が配置される。これにより、コントラストの高い優れた画像を得ることができる。
【００６６】
なお、高画質モードでは、第１の作像ステーション４１ａの感光体４７ａにおいては最初にブラックのトナー像を形成するようにすればよく、感光体４７ａの２周目の現像色ならびに感光体４７ｂの１周目および２周目の現像色はどのような順序であってもよい。
【００６７】
このように、本実施の形態の電子写真装置によれば、高速モードでは画質低下が最小限に抑制されつつ短時間で画像形成ができ、また高画質モードでは高解像度で画像を形成することが可能になる。
【００６８】
以降、図１に戻って説明を続ける。
【００６９】
５６はトナーボトルであり、イエロー、マゼンタ、シアン、ブラックのトナーが格納されている。トナーボトル５６から各現像器には、図示しないトナー搬送用のパイプが配設され、各現像器にトナーを供給する。
【００７０】
５７は給紙ローラであり、図示しない電磁クラッチを制御することで回転し、給紙トレイ４３に装填された記録紙４２を一枚ずつピックアップして搬送経路へと送り出す。
【００７１】
給紙ローラ５７と最上流の第１の作像ステーション４１ａの転写部位との間には、入口側のニップ搬送手段としてレジストローラ５８、ピンチローラ５９対が設けられている。また、給紙トレイ４３から供給されて搬送される記録紙４２の搬送経路におけるレジストローラ５８、ピンチローラ５９対の下流側には、中間転写ベルト６７に圧接して中間転写ベルト６７上に転写された４色のカラートナー像を記録紙４２上に転写する第２の転写ローラ（転写手段）６９が設けられ、ここに転写部位が構成されている。レジストローラ５８、ピンチローラ５９対は、給紙ローラ５７により搬送された記録紙４２を一時的に停止させ、所定のタイミングで転写部位の方向に搬送する。この一時停止によって記録紙４２の先端がレジストローラ５８、ピンチローラ５９対の軸方向と平行に規制され、記録紙４２の斜行を防止する。
【００７２】
６０は記録紙通過センサである。記録紙通過センサ６０は反射型センサ（フォトリフレクタ）によって構成され、反射光の有無で記録紙の先端および後端を検出する。
【００７３】
前述した転写部位のさらに下流側には、出口側のニップ搬送手段として定着器６２が設けられている。定着器６２は加熱ローラ６３と加圧ローラ６４とから構成されている。加熱ローラ６３は表面から近い順に、発熱ベルト、ゴムローラ、芯材（共に図示せず）から構成されている多層構造のローラである。このうち発熱ベルトは更に３層構造を有するベルトであり、表面に近い方から離型層、シリコンゴム層、基材層（共に図示せず）から構成される。離型層は厚み約２０〜３０μｍのフッ素樹脂からなり、加熱ローラ６３に離型性を付与する。シリコンゴム層は約１７０μｍのシリコンゴムで構成され、加圧ローラに適度な弾性を与える。基材層は鉄・ニッケル・クロム等の合金である磁性材料によって構成されている。
【００７４】
６５は励磁コイルが内包された背面コアである。背面コア６５の内部には表面が絶縁された銅製の線材（図示せず）を所定本数束ねた励磁コイルを、加熱ローラ６３の回転軸方向に延伸し、かつ加熱ローラ６３の両端部において、加熱ローラ６３の周方向に沿って周回して形成されている。励磁コイルに半共振型インバータである励磁回路（図示せず）から約３０ｋＨｚの交流電流を印加すると、背面コア６５と加熱ローラ６３の基材層によって構成される磁路に磁束が生じる。この磁束によって加熱ローラ６３の発熱ベルトの基材層に渦電流が形成され、基材層が発熱する。基材層で生じた熱はシリコンゴム層を経て離型層まで伝達され、加熱ローラ６３の表面が発熱する。
【００７５】
６６は加熱ローラ６３の温度検出手段として設けられているサーミスタ（Ｔｈｅｒｍａｌｌｙ  Ｓｅｎｓｉｔｉｖｅ  Ｒｅｓｉｓｔｏｒ）である。サーミスタは金属酸化物を主原料とし、高温で焼結して得られるセラミック半導体であり、温度に応じて負荷抵抗が変化することを応用して、接触した対象物の温度を計測することができる。サーミスタ６６の出力は図示しない制御装置に入力され、制御装置はサーミスタ６６の出力に基づいて背面コア６５内部の励磁コイルに出力する電力を制御し、加熱ローラ６３の表面温度が約１７０℃となるよう制御する。
【００７６】
この温度制御がなされた加熱ローラ６３と加圧ローラ６４によって形成されるニップ部に、トナー像が形成された記録紙４２を通紙すると、記録紙４２上のトナー像は、加熱ローラ６３と加圧ローラ６４によって加熱／加圧され、定着画像を得ることができる。なお、画像が定着された記録紙４２は、その後排紙ローラ７４によって搬送され、排紙トレイ７８に排出される。
【００７７】
駆動源１９は、本実施の形態ではステッピングモータを採用している。駆動源７７によって、給紙ローラ５７、レジストローラ５８、ピンチローラ５９、感光体４７ａ，４７ｂと転写ローラ６８ａ，６８ｂを含む第１および第２の作像ステーション４１ａ，４１ｂの周辺部、定着器６２、排紙ローラ７４の駆動を行っている。
【００７８】
８０はコントローラ（制御手段）であり、外部のネットワークを介して図示しないコンピュータ等からの画像データを受信し、プリント可能な画像データを生成する。
【００７９】
８１はエンジン制御部である。エンジン制御部８１は電子写真装置４０のハードウェアやメカニズムを制御し、コントローラ８０から転送された画像データに基いて記録紙４２にカラー画像を形成すると共に、電子写真装置の制御全般を行っている。
【００８０】
次に、本実施の形態の電子写真装置におけるコントローラの構成と動作について、図７を用いて説明する。
【００８１】
図７において、１００はコンピュータである。コンピュータ１００はネットワーク１０１経由でコントローラ８０に画像データやプリントジョブ情報を転送する。１０２はネットワークインタフェースである。コントローラ８０はネットワークインタフェース１０２を介して、コンピュータ１００から転送されてきた画像データやプリントジョブ情報を受信したり、逆に電子写真装置のエラー状況などのいわゆるステータス情報をコンピュータ１００に送信する。
【００８２】
１０３はＣＰＵであり、ＲＯＭ１０４に格納されたプログラムに基きコントローラ８０の動作を制御している。
【００８３】
１０５はＲＡＭであり、ＣＰＵ１０３のワークエリアとして使用されると共に、ネットワークインタフェース１０２で受信された画像データやプリントジョブ情報、およびページ単位に展開されたプリント可能な画像データ等が、一時的に記憶される。
【００８４】
１０６は画像処理部である。画像処理部１０６ではコンピュータ１００から転送された画像データとプリントジョブ情報（共に一時的にＲＡＭ１０５に格納されている）に基き、ページ単位に画像処理（プリンタ言語からラスタデータへの変換処理、色補正、エッジ補正、スクリーン生成等）を行って印字に供する画像データを生成し、これを再度ＲＡＭ１０５に格納する。
【００８５】
１０７はプリンタインタフェースであり、ＲＡＭ１０５に格納されたページ単位の画像データは、プリンタインタフェース１０７を介してエンジン制御部８１に転送される。
【００８６】
次に、エンジン制御部の構成と動作について、図８に図１を併用して説明する。
【００８７】
図８において１１０はコントローラインタフェースである。コントローラインタフェース１１０は、コントローラ８０から転送されるページ単位の画像データ、およびプリントモード情報を受信する。
【００８８】
１１１はＣＰＵであり、ＲＯＭ１１２に格納されたプログラムに基きプリンタエンジンの動作を制御している。そして、ユーザの指定によりコントローラ８０から転送された前述の高速モードと高画質モードの切り替えコマンドにより、何れかのモードで画像形成が実行されるよう制御する。
【００８９】
１１３はＲＡＭであり、ＣＰＵ１１１が動作する際のワークエリアとして使用される。１１４はＥＥＰＲＯＭ等の所謂書き換え可能な不揮発性メモリである。不揮発性メモリ１１４には、例えば電子写真装置の感光体４７ａ，４７ｂの回転時間、定着器６２の動作時間等の寿命情報などを格納する。１１５はシリアルインタフェースである。記録紙通紙センサ６０や図示しない記録紙後端検出センサなどのセンサ群からの情報、電源監視部８３の出力は、シリアル変換手段によって所定の周期のシリアル信号に変換され、シリアルインタフェース１１５で受信される。シリアルインタフェース１１５で受信されたシリアル信号は、パラレル信号に変換された後にＣＰＵ１１１に読み取られる。一方、給紙ローラ５７、感光体４７ａ，４７ｂ、定着器の加熱ローラ６３等を駆動する駆動源１９の起動／停止や、給紙ローラ５７およびレジストローラ５８に対する駆動力伝達を制御する電磁クラッチ（図示せず）等のアクチュエータへの制御信号や、現像バイアス／転写バイアス／帯電電位などの高圧電源の電位設定のための制御信号などは、パラレル信号としてシリアルインタフェース１１５に送られる。シリアルインタフェース１１５では、このパラレル信号をシリアル信号に変換して、アクチュエータ群に出力する。本実施の形態では、高速に検出する必要のないセンサ入力やアクチュエータ制御信号の出力は、全てシリアルインタフェース１１５を介して行っている。
【００９０】
一方、高速なサンプリングが要求されるトナー像検出センサ（図示せず）からの入力はＣＰＵ１１１の入力端子に直接接続されている。
【００９１】
１２０Ｙ，１２０Ｍ，１２０Ｃ，１２０Ｋは各印字色に対応した露光ヘッドの駆動を制御するヘッド制御部である。ヘッド制御部１２０Ｙ〜１２０Ｋには露光ヘッドの露光タイミング制御と、露光ヘッドに搭載された有機ＥＬ素子の駆動電圧制御を行う機能が含まれている。１２１Ｙ，１２１Ｍ，１２１Ｃ，１２１Ｋは数ライン分の容量を有するバッファメモリである。コントローラインタフェース１１０を介して転送された画像データは、各印字色毎に独立して設けられたバッファメモリ１２１Ｙ〜１２１Ｋに一時的に格納される。バッファメモリ１２１Ｙ〜１２１Ｋに格納された画像データは、図示しないＤＭＡ回路によって各印字色に対応した露光ヘッドに転送される。なおバッファメモリ１２１Ｙ〜１２１ＫはデュアルポートＲＡＭで構成されており、図示しないパスを介してＣＰＵ１１１による読み取りと書き込みが可能となっている。
【００９２】
１２２Ｙ，１２２Ｍ，１２２Ｃ，１２２Ｋはドライバであり、ヘッド制御部１２０Ｙ〜１２０Ｋから出力される制御信号と、バッファメモリ１２１Ｙ〜１２１Ｋから転送された画像データに基づいて、有機ＥＬ素子である発光素子（１２３Ｙ〜１２３Ｋを駆動する。なお、本実施の形態では、有機ＥＬ素子の発光素子列が２列になっていることから（図３参照）、各素子列に対応してドライバが設けられている。
【００９３】
ここで、高速モードでは、中間転写ベルト６７上にブラック、イエロー、マゼンタ、シアンの順に（記録紙４２上にはこの逆の順に）トナー像が重畳され、高画質モードでは、ブラック、シアン、イエロー、マゼンタの順にトナー像が重畳される。このようにモードによって色重ね順が異なるので、コントローラ８０の画像処理部１０６はモードに応じて異なる色補正テーブルにアクセスし、各モードで色処理パラメータを相違させて最適な色補正を行っている。なお、各モードでの色重ねの順が同じ場合には同じ色処理パラメータとなることはもちろんである。
【００９４】
ここで、本実施の形態の電子写真装置における画像処理シーケンスを図９を用いて詳細に説明する。
【００９５】
まずＣＰＵ１０３は、コンピュータ１００から転送されてきた描画コマンドを取得し、コマンドを解釈する（ＳＴＥＰ１００１）。
【００９６】
次にＣＰＵ１０３は描画コマンドの解釈に従って、多値カラーイメージデータ（ＲＧＢ（輝度）データ）を生成し、一旦ＲＡＭ１０５上に展開する（ＳＴＥＰ１００２）。
【００９７】
ＣＰＵ１０３はコンピュータ１００から転送されるコマンドに基づき、全ての描画コマンドを処理したかをチェックし（ＳＴＥＰ１００３）、全ての描画データの展開が完了したら、ＣＰＵ１０３はＲＡＭ１０５上に展開された多値カラーイメージデータ（ＲＧＢ（輝度）データ）を画像処理部１０６に設けられたメモリ領域（図示せず）に所定量（例えば１ライン分）を転送し、画像処理部１０６を制御して画像処理を開始する（ＳＴＥＰ１００４）。一方、まだ処理すべき描画コマンドが残っている場合は、ＳＴＥＰ１００１に戻る。
【００９８】
ＣＰＵ１０３から多値カラーイメージデータ（ＲＧＢ（輝度）データ）を受信した画像処理部１０６は、（数１）に従ってＲＧＢ（輝度）データを濃度データに変換し、Ｄｒ，Ｄｇ，Ｄｂ信号を得る（ＳＴＥＰ１００５）。
【００９９】
Ｄ＝（１０２３／ＭａｘＯＤ）×ｍｉｎ（ＭａｘＯＤ，ｌｏｇ（ｘ／１０２３））・・・（１）
ただし、ＭａｘＯＤはプリンタの最大光学濃度（Ｃ，Ｍ，Ｙで異なる）、ｍｉｎ（，）は２つの引数のうち大きくない方を出力する関数である。また数値１０２３は、この処理が１０ｂｉｔ処理であるための定数であり、８ｂｉｔ処理する場合は２５５となる。
【０１００】
一般にこの変換は、ＲＡＭ／ＲＯＭ等のメモリ上に、（数１）の式に従って予め変換データを書き込んでおき、例えばメモリのロケーションを示すオフセットアドレス（Ｒ，Ｇ，Ｂの先頭アドレス）に、輝度信号Ｒ，Ｇ，Ｂの値を下位アドレスとして加え、メモリにアクセスすることで高速に実現できる。
【０１０１】
次に画像処理部１０６は色処理を行ってＣ（シアン），Ｍ（マゼンタ），Ｙ（イエロー），Ｋ（ブラック）の信号を生成する（ＳＴＥＰ１００６）。
【０１０２】
色処理はＣ，Ｍ，Ｙ，Ｋの各トナー（より正しくはトナーの色材）に含まれる分光特性上の不要吸収帯の影響を抑制したり、Ｃ，Ｍ，ＹデータからＫ（墨版）を生成するための処理で、より鮮やかでコントラストの良好な色再現を実現するためのものである。
【０１０３】
本実施の形態では、この色処理の具体的手段として、予め格子状に分割した色空間に対して、各格子点の変換特性をＬＵＴ（ルックアップテーブル）として格納し、これらの格子点の変換情報に基づき補間によって色処理を行う、いわゆる３次元ＬＵＴ方式を採用している。
【０１０４】
さて前述したように、本実施の形態では高速モードと高画質モードとで、記録紙４２上のトナーの重なり順序が異なる。具体的には、高速モードでは記録紙４２の表面に近いほうからＣ、Ｍ、Ｙ、Ｋの順にトナーが重ね合わされ、高画質モードでは記録紙４２の表面に近いほうからＭ、Ｙ、Ｃ、Ｋの順にトナーが重ね合わされる。一般に彩色トナー（Ｃ，Ｍ，Ｙ）の重ね合わせ順序が異なると、トナー表層に近い方から反射される色成分が相対的に多くなるため、画像の色味が変化する。
【０１０５】
本実施の形態では彩色トナーの重ね合わせ順序に応じて予め計測しておいた３次元ＬＵＴの格子点データをＲＯＭ１０４に格納しておき、実際の印字にあたって、高速モード／高画質モードに応じて３次元ＬＵＴの格子点データの値を書き換えることで、この色味変化を防止している。
【０１０６】
色処理によってＣ，Ｍ，Ｙ，Ｋ信号が生成された後、画像処理部１０６はプリントエンジンの階調の非線形性を補正する階調補正を行う（ＳＴＥＰ１００７）。
【０１０７】
一般にこの補正は、予め計測しておいた一次元のＬＵＴ（ルックアップテーブル）を用いて、濃度変換と同様のアクセス方法により実現できる。階調補正処理によって、プリンタエンジン固有の階調特性（一般にはγ特性と呼称される）を補正し、Ｃ，Ｍ，Ｙ，Ｋデータの入力値と、再現濃度が略線形の関係になるように調整する。
【０１０８】
次に画像処理部１０６は、階調補正後のＣ，Ｍ，Ｙ，Ｋデータに対してスクリーン処理を行う（ＳＴＥＰ１００８）。
【０１０９】
スクリーン処理では、これまで多値処理されてきた画像データを２値化すると共に、ビットマップ上の２値化画素の配置を制御し、プリンタエンジンで記録可能なＣＭＹＫラスタイメージデータが生成される。
【０１１０】
以上のようにして生成されたＣ、Ｍ、Ｙ、Ｋのラスタイメージデータは、既に多値カラーイメージデータ（ＲＧＢ（輝度）データ）が格納されているアドレスとは異なる領域に格納される（ＳＴＥＰ１００９）。
【０１１１】
ＳＴＥＰ１００４からＳＴＥＰ１００９の一連の動作が完了すると、画像処理部１０６はＣＰＵ１０３に対して処理完了通知を行う。ＣＰＵ１０３はこの完了通知を受け取ると、全ての多値カラーイメージデータ（ＲＧＢ（輝度）データ）に対して、画像処理が完了したか否かをチェックし（ＳＴＥＰ１０１０）、処理が完了していない場合は、ＳＴＥＰ１００４に処理を移す。
【０１１２】
次に、ヘッド制御部１２０の構成を、図１０を用いて詳細に説明する。なお、図８で示したように、実際にはヘッド制御部は印字色毎に４つ存在するが、以降簡単のため１つのヘッド制御部を対象として説明する。
【０１１３】
図１０において１３０はヘッド駆動タイミング生成部である。ヘッド駆動タイミング生成部１３０は、露光ヘッドに搭載された２つの素子列である第１の素子列８６ａに対応した第１のドライバ１２２ａおよび第２の素子列８６ｂに対応した第２のドライバ１２２ｂに対して、バッファメモリ１２１から送られた画像データの１ライン分の保持に関する制御および第１および第２の素子列８６ａ，８６ｂの駆動タイミングを生成する。ヘッド駆動タイミング生成部１３０はバッファメモリ１２１に対して画像データ転送用のクロック信号（ＣＬＫ）およびアドレス生成部１３０ａで生成されたアドレス（ＡＤＤＲＥＳＳ）を供給する。また、ヘッド駆動タイミング生成部１３０は、ドライバ１２２ａ，１２２ｂに対してクロック信号（ＣＬＫ）およびその他のドライバ制御信号を出力する。
【０１１４】
次に、図１１を用いて露光ヘッド１３，１７の駆動について詳細に説明する。
【０１１５】
図１１において、１５０はライン方向に直線状に配置された３９個のドライバチップである。１５１はドライバチップ１５０単位に設けられた２５６ビットのシフトレジスタ、１５２はシフトレジスタ１５１に対応して配置された２５６ビットのラッチ、１５３はラッチ１５２の出力信号及びストローブ信号（ＳＴＢ）１〜１３を受けて動作するゲート、１５４はゲート１５３の出力信号に基づいてＯＮ／ＯＦＦの状態をとるドライバトランジスタ、１２３はドライバトランジスタ１５４によって駆動される電流に基づいて発光する有機ＥＬ素子である。
【０１１６】
バッファメモリ１２１から出力された画像データ（ＤＡＴＡ）は、クロック信号（ＣＬＫ）に同期してシフトレジスタ１５１内部をビット単位に転送され、２５６ビット分の転送が完了すると隣接するシフトレジスタ１５１に出力される。すべてのシフトレジスタ１５１に画像データ（ＤＡＴＡ）が送られると、ロード信号（ＬＯＡＤ）がラッチ１５２に入力され、シフトレジスタ１５１内の画像データ（ＤＡＴＡ）は一括してラッチに保持される。
【０１１７】
画像データがラッチされると、ストローブ信号（ＳＴＢ）１〜１３が順に出力され、既にラッチに保持されている画像データ（ＤＡＴＡ）とストローブ信号（ＳＴＢ）１〜１３は、ゲート１５３においてＡＮＤ演算され、ストローブ信号（ＳＴＢ）１〜１３が予め定められたロジック（例えばＨｉｇｈ状態）となると、ラッチされた画像データに従ってドライバトランジスタがＯＮ状態になって有機ＥＬ素子１２３に駆動電流が供給されて有機ＥＬ素子が点灯する。
【０１１８】
次にヘッド駆動電圧設定部１３３について説明する。ヘッド駆動電圧設定部１３３において、１５６はＤＡコンバータ、１５７はヘッド電源であり、ＣＰＵ１１１からＤＡコンバータ１５６に値を設定することでドライバトランジスタ１５４全体に供給される電源電圧が決定される。１５８はドライバ電流設定部であり、各ドライバチップ１５０毎に独立して設けられている。ドライバ電流設定部１５８にはライン同期信号（ＬＳＹＮＣ）とクロック信号（ＣＬＫ）が入力されており、画像データの転送と同期して各ドライバチップ１５０単位に供給される電流値を設定できる構成となっている。
【０１１９】
以上の説明においては、本発明を４色のカラー電子写真装置に適用した場合について説明したが、現像色はイエロー、マゼンタ、シアンおよびブラックの４色に限定されるものではなく、４色以外であってもよい。
【０１２０】
また、感光体の数は複数であればよく、本実施の形態に示すような２つの感光体に限定されるものではない。
【０１２１】
【発明の効果】
以上のように、本発明によれば、第１のモードではブラックのトナー像および露光光線の補色のトナー像を複数の感光体のそれぞれ最後に形成するようにしているので、複数色のトナー像が重畳して形成される各感光体においてトナー像の形成された上に露光光線で露光しても当該露光光線が既に形成されたトナー像には吸収されず、高解像度の画像を形成することが可能になるという有効な効果が得られる。
【０１２２】
また、第１のモードでは中間転写ベルトの走行方向上流側の感光体でブラックのトナー像を最後に形成し、第２のモードでは当該感光体でブラックのトナー像を最初に形成するようにしているので、記録媒体に転写されたカラートナー像の最上層にブラックのトナー像が配置されることなになり、コントラストの高い優れた画像を得ることができるという有効な効果が得られる。
【０１２３】
これらのことから、第１のモードでは画質低下が最小限に抑制されつつ短時間で画像形成ができ、また第２のモードでは高解像度で画像を形成することが可能になるという有効な効果が得られる。
【図面の簡単な説明】
【図１】本発明の実施の形態１である電子写真装置の全体構成を示す概略図
【図２】図１の電子写真装置に設けられた作像ステーションの構成を示す概略図
【図３】図２の作像ステーションに設けられた露光ヘッドの構成を示す概略図
【図４】図２の作像ステーションにおける多重現像の工程を示す説明図
【図５】図１の電子写真装置における高速モードでのトナーの重畳状態を示す模式図
【図６】図１の電子写真装置における高画質モードでのトナーの重畳状態を示す模式図
【図７】図１の電子写真装置におけるコントローラの構成を示すブロック図
【図８】図１の電子写真装置におけるエンジン制御部の構成を示すブロック図
【図９】制御手段による画像処理シーケンスを示すフローチャート
【図１０】図８のヘッド制御部の構成を示すブロック図
【図１１】露光ヘッドおよびヘッド制御部の詳細な構成を示す回路図
【図１２】従来の電子写真装置の構成を示す概略図
【符号の説明】
４２  記録紙（記録媒体）
４７ａ  感光体（第１の感光体）
４７ｂ  感光体（第２の感光体）
６７  中間転写ベルト（中間転写手段）
６８ａ，６８ｂ  転写ローラ（転写手段）
８０  コントローラ（制御手段）
【図１】
2004326027.tif 000003
【図２】
2004326027.tif 000004
【図３】
2004326027.tif 000005
【図４】
2004326027.tif 000006
【図５】
2004326027.tif 000007
【図６】
2004326027.tif 000008
【図７】
2004326027.tif 000009
【図８】
2004326027.tif 000010
【図９】
2004326027.tif 000011
【図１０】
2004326027.tif 000012
【図１１】
2004326027.tif 000013
【図１２】
2004326027.tif 000014